(57)【要約】【課題】大きな粒径の固形物が含まれている収納物をも容易に押し出すことができるばかりでなく、輸送時あるいは取扱時にその蓋が押圧されてもハーフカットの部分から蓋に亀裂が生じて収納物の密封が損なわれないように改良された分配包装体を提供する。【解決手段】分配包装体１００の蓋２１の全体剛性を高めて変形を抑制する長辺突条帯２３と、蓋２１を折り曲げる力を折曲線２１ａに伝達する中辺突条帯２４と、吐出開口を湾曲させ易くするための短辺突条帯２５とが、折曲線の中点に対し点対称に並ぶように配設されている。【選択図】図１
2010126216.tif 000002
【特許請求の範囲】
【請求項１】
その表面の中央にハーフカットを具備して前後方向に延びる折曲線が刻設されるとともに、この折曲線を跨いで左右方向に互いに平行に延びる複数の中空の突条帯がその表面に並設された、硬質の板材からなる蓋と、
前記蓋の裏面側において前記折曲線の両側にそれぞれ配設された一対のポケットを有するとともに、その周縁部が前記蓋の裏面に固着された、可撓性材料からなる収納部と、
を備え、
前記折曲線を起点として前記蓋をその裏面側に折り曲げたときに前記複数の突条帯が前記折曲線に沿ってそれぞれ割損し、それらの中空部分が前記蓋の表面側に露出して前記蓋に蛇腹状の吐出開口を形成するように構成された分配包装体において、
前記複数の突条帯は、
前記蓋の左右方向の一方の端部の近傍から他方の端部の近傍へと延設された前後一対の長辺突条帯と、
前記前後一対の長辺突条帯の間に配設された、前記長辺突条帯よりも全長の短い前後一対の中辺突条帯からなる中辺突条帯の組を少なくとも１組と、
少なくとも前記長辺突条帯と前記中辺突条帯との間にそれぞれ配設された、前記中辺突条帯よりも全長の短い一対の短辺突条帯と、を有し、
前記長辺突条帯、前記中辺突条帯および前記短辺突条帯が、前記折曲線の中点に対し点対称となるように配設されていることを特徴とする分配包装体。
【請求項２】
前記前後一対の中辺突条帯からなる前記中辺突条帯の組を２組以上有するとともに、
前記短辺突条帯は、互いに隣接する前記中辺突条帯の組同士の間にも配設されていることを特徴とする請求項１に記載した分配包装体。
【請求項３】
前記中辺突条帯は、その一方の端部が前記長辺突条帯の一端と前後方向に位置を揃えて配設されるとともに、その他方の端部が前記短辺突条帯の一端と前後方向に位置を揃えて配設されていることを特徴とする請求項１に記載した分配包装体。
【請求項４】
前記突条帯は、その頂部に稜線を有する中央部分と、前記中央部分における稜線の端点から前記蓋の表面へと傾斜して延びる傾斜面をそれぞれ有した両端部分と、を有していることを特徴とする請求項１に記載の分配包装体。
【請求項５】
前記稜線は、前記突条帯の全長に対してその長さが０．５〜０．９の比率に形成されていることを特徴とする請求項４に記載した分配包装体。
【請求項６】
前記長辺突条帯の傾斜面は、前記短辺突条帯の傾斜面よりも緩やかな傾斜に形成されていることを特徴とする請求項４に記載した分配包装体。
【請求項７】
前記中辺突条帯の両端部分の傾斜面は、それぞれ隣接する前記長辺突条帯の傾斜面および前記短辺突条帯の傾斜面に傾斜を合わせて形成されていることを特徴とする請求項４に記載した分配包装体。
【請求項８】
前記短辺突条帯は、その全長が前記長辺突条帯の中央部分の長さよりも短く形成されていることを特徴とする請求項１に記載した分配包装体。
【請求項９】
前記蓋は、その周縁部に対して平行に持ち上げられた段部を有し、前記複数の突条帯の少なくとも一部が前記段部上に配設されていることを特徴とする請求項１に記載した分配包装体。
【請求項１０】
前記蓋のうち前記複数の突条帯の間の部分が平坦に形成されていることを特徴とする請求項１に記載した分配包装体。
【発明の詳細な説明】
【技術分野】
【０００１】
本発明は、食品や化粧品あるいは薬品等の収納物を密封包装するとともに、その薄板状の蓋をＶ字形に折り曲げることにより開口を形成して当該収納物を所望の量だけ押し出すことができるように構成された分配包装体に関し、より詳しくは、大きな粒径の固形物が含まれている収納物も容易に押し出すことができるばかりでなく、輸送時あるいは取扱時にその蓋が押圧されても収納物の密封が損なわれないように改良する技術に関する。
【背景技術】
【０００２】
従来、ファーストフード店やコンビニエンスストア等で販売されるハンバーガーやホットドッグ、サラダ等の食品のなかには、マスタード、ケチャップ、ソース、ドレッシング、ジャム等の調味料を密封収納した分配包装体が添付されているものがある（例えば、下記特許文献１を参照）。
【０００３】
下記特許文献１に開示されている分配包装体につき図１３および図１４を参照して概説すると、この分配包装体１は、硬質樹脂の薄板からなる蓋２と、この蓋２の裏面にその周縁部が固着された軟質樹脂の薄膜からなる収納部分３とを備えている。
そして、蓋２の表面の中央には図示前後方向に延びるハーフカットを具備した折曲線４が形成されるとともに、この折曲線４を跨いで図示左右方向に延びる略ピラミッド状の中空の突起５が突設され、かつこの突起５の両側には蓋２を補強するための複数の突条帯６がそれぞれ突設されている。
また、収納部分３は、折曲線４の左右にそれぞれ配設された左右一対のポケット３ａ，３ｂを有している。
【０００４】
これにより、この分配包装体１は、図１４に示したように蓋２の左右の両端部２ａ，２ｂを２本の指で押圧して上方に湾曲させると、折曲線４のハーフカットを起点として蓋２がＶ字形に折れ曲がり、中空の突起５が２つに割損して開口５ａが形成される。
したがって、蓋２を操作して左右一対のポケット３ａ，３ｂを互いに押し付けることにより、収納部分３に収納されている調味料を開口５ａから所望の量だけ押し出すことができる。
【０００５】
ところで、上述した分配包装体１に粒胡椒や野菜の切断片といった大きな粒径の固形物を含む調味料を収納すると、これらの固形物が開口５ａに引っ掛かり、容易に押し出すことができなくなる。
そこで、本願の出願人らは、大きな粒径の固形物を含む調味料も容易に押し出すことができる新しい分配包装体を開発した。
【０００６】
この新しい分配包装体につき図１５および図１６を参照して概説すると、この分配包装体１０は、硬質樹脂の薄板からなる蓋１１と、この蓋１１の裏面にその周縁部が固着された軟質樹脂の薄膜からなる収納部分１２とを備えている。
蓋１１の表面の中央には、図示前後方向に延びるハーフカットを具備した折曲線１３が形成されるとともに、断面形状が中空の三角形である複数の突条帯１４が折曲線１３を跨いで図示左右方向に延びるように図示前後方向に並設されている。
また、収納部分１２は、折曲線１３の左右にそれぞれ配設された左右一対のポケット１２ａ，１２ｂを有している。
【０００７】
この分配包装体１０は、図１６に示したように蓋１１の左右の両端部１１ａ，１１ｂを２本の指で押圧して上方に湾曲させると、折曲線１３のハーフカットを起点として蓋１１がＶ字形に折れ曲がり、および複数の中空の突条帯１４が２つに割損してそれらの中空部分が露出する。
これにより、大きな粒径の固形物を含む調味料を押し出すときには、複数の中空の突条帯１４が上方に向かって蛇腹状に湾曲し、大きな吐出開口１５が形成される。
したがって、蓋１１を操作して左右一対のポケット部１２ａ，１２ｂを互いに押し付けると、大きな粒径の固形物を含む調味料を大きな吐出開口１５を介して所望の量だけ押し出すことができる。
【０００８】
【特許文献１】実開昭６３−６４６６５号公報
【発明の開示】
【発明が解決しようとする課題】
【０００９】
ところで、大きな粒径の固形物を含む調味料を収納する分配包装体は、通常の分配包装体よりも大きくなる傾向がある。
そのため、図１５および図１６に示した分配包装体１０の蓋１１は、図１３および図１４に示した通常の分配包装体１の蓋２よりも大きくなり、撓み易くなる。
これにより、分配包装体１０を輸送したり取り扱ったりする際に蓋１１が押圧されると、蓋１１が容易に撓んでハーフカットの部分から折曲線１３に亀裂が生じ、調味料等の収納物の密封が損なわれるおそれがある。
【００１０】
そこで本発明の目的は、上述した問題点を解消し、大きな粒径の固形物が含まれている収納物をも容易に押し出すことができるばかりでなく、輸送時あるいは取扱時にその蓋が押圧されてもハーフカットの部分から蓋に亀裂が生じて収納物の密封が損なわれないように改良された分配包装体を提供することにある。
【課題を解決するための手段】
【００１１】
上記の課題を解決するための請求項１に記載した手段は、
その表面の中央にハーフカットを具備して前後方向に延びる折曲線が刻設されるとともに、この折曲線を跨いで左右方向に互いに平行に延びる複数の中空の突条帯がその表面に並設された、硬質の板材からなる蓋と、
前記蓋の裏面側において前記折曲線の両側にそれぞれ配設された一対のポケットを有するとともに、その周縁部が前記蓋の裏面に固着された、可撓性材料からなる収納部と、
を備え、
前記折曲線を起点として前記蓋をその裏面側に折り曲げたときに前記複数の突条帯が前記折曲線に沿ってそれぞれ割損し、それらの中空部分が前記蓋の表面側に露出して前記蓋に蛇腹状の吐出開口を形成するように構成された分配包装体において、
前記複数の突条帯は、
前記蓋の左右方向の一方の端部の近傍から他方の端部の近傍へと延設された前後一対の長辺突条帯と、
前記前後一対の長辺突条帯の間に配設された、前記長辺突条帯よりも全長の短い前後一対の中辺突条帯からなる中辺突条帯の組を少なくとも１組と、
少なくとも前記長辺突条帯と前記中辺突条帯との間にそれぞれ配設された、前記中辺突条帯よりも全長の短い一対の短辺突条帯と、を有し、
前記長辺突条帯、前記中辺突条帯および前記短辺突条帯が、前記折曲線の中点に対し点対称となるように配設されていることを特徴とする。
【００１２】
すなわち、請求項１に記載した分配包装体は、折曲線を跨いで左右方向に互いに平行に延びる複数の中空の突条帯を蓋の表面に並設したものであるから、蓋をその裏面側に折り曲げると蓋が割損すると同時に複数の突条帯が割損してそれらの中空部分が蓋の表面側に露出し、蓋に蛇腹状の吐出開口を形成する。
これにより、大きな粒径の固形物を押し出すときには蛇腹状の吐出開口が湾曲して大きく開口するので、大きな粒径の固形物が含まれている収納物をも容易に押し出すことができる。
【００１３】
また、請求項１に記載した分配包装体は、蓋の左右方向の一方の端部の近傍から他方の端部の近傍へと延びる一対の長辺突条帯を有しているので、蓋の全体的な曲げ剛性を高めることができる。
これにより、輸送時あるいは取扱時に蓋が押圧されても蓋は容易に変形することがないから、ハーフカットの部分から折曲線に容易に亀裂が生じることはなく、収納物の密封が損なわれることがない。
【００１４】
さらに、長辺突条帯の全長よりも短い全長を有した中辺突条帯が設けられているので、２本の指によって蓋の左右の両端部に負荷される折曲力を伝達して折曲線の部分に集中させることができる。
【００１５】
さらにまた、中辺突条帯の全長よりも短い全長を有した短辺突条帯が設けられている部分は、その他の部分に比較して蓋の曲げ剛性が低いので、蓋を折り曲げたときに現れる蛇腹状の吐出開口を容易に湾曲させることができる。
【００１６】
加えて、長辺突条帯、中辺突条帯および短辺突条帯が折曲線の中点に対し点対称となるように配設されているので、これらの突条帯が折曲線に対して左右対称あるいは前後対称に配設されている場合に比較して、輸送時あるいは取扱時に蓋が押圧されたときにこれらの突条帯に生じる変形の度合いを低減することができ、したがって蓋が大きく変形することがなく、ハーフカットの部分から折曲線に亀裂が生じて収納物の密封が損なわれることがない。
【発明の効果】
【００１７】
本発明によれば、大きな粒径の固形物が含まれている収納物をも容易に押し出すことができるばかりでなく、輸送時あるいは取扱時にその蓋が押圧されても収納物の密封が損なわれないように改良された分配包装体を提供することができる。
【発明を実施するための最良の形態】
【００１８】
以下、図１乃至図１２を参照し、本発明に係る分配包装体の各実施形態について詳細に説明する。
なお、以下の説明においては、分配包装体の蓋の表面上において折曲線が延びる方向を前後方向と、蓋の表面上において折曲線に対し垂直に延びる方向を左右方向と、蓋の厚み方向を上下方向と言う。
【００１９】
第１実施形態
まず最初に図１〜図６を参照し、第１実施形態の分配包装体について詳細に説明する。
【００２０】
図１〜図６に示した分配包装体１００は、粒胡椒や野菜の断片といった大きな粒径の固形物を含んでいるソース、タルタルソース、ドレッシング、ジャム等の調味料を密封収納するためのもので、ポリスチレン等の硬質樹脂材料の薄板から成形された矩形状の蓋２１と、この蓋２１の裏面側にその周縁部が固着されたポリエチレン等の可撓性を有する軟質樹脂の薄膜から成形された収納部２２とを有している。
【００２１】
蓋２１の表面の中央には、ハーフカットを具備した折曲線２１ａが、蓋２１の幅（前後方向）の全体にわたって延びるように設けられている。
また、収納部２２は、折曲線２１ａに対して左右対称に配設された左右一対のポケット２２ａ，２２ｂと、これらのポケット２２ａ，２２ｂを連通する連通部２２ｃとを有している。
【００２２】
図１および図５に示したように、蓋２１の表面には、蓋２１を成形している薄板を上方に屈曲させることにより形成された、断面形状が中空の三角形である複数の突条帯２３，２４，２５が、折曲線２１ａを跨ぐようにして前後方向に並設されている。
なお、蓋２１のうち互いに隣接する突条帯２３，２４，２５の間の部分２１ｄは、蓋２１の周縁部と同じ高さで平坦に延びるように形成されている。
【００２３】
前後方向の最も外側には、一対の長辺突条帯２３，２３がそれぞれ配設されている。
【００２４】
そして、これらの前後一対の長辺突条帯２３，２３の間には、これらの長辺突条帯２３，２３よりもその全長が短い前後一対の中辺突条帯２４，２４からなる中辺突条帯２４の組が２組配設されている。
なお、前後一対の長辺突条帯２３，２３は、その一方が蓋２１の左端側に寄せて配置され、かつその他方が蓋２１の右端側に寄せて配置されている。
【００２５】
さらに、中辺突条帯２４よりもその全長が短い合計３本の短辺突条帯２５，２５，２５が、長辺突条帯２３と中辺突条帯２４の間、および互いに隣接する中辺突条帯２４の組同士の間にそれぞれ配設されている。
【００２６】
なお、これらの突条帯２３，２４，２５は、図２（ａ）に示したように、折曲線２１ａの中点（蓋２１の表面の中心）Ｃに対して点対称に並ぶように配設されている。
【００２７】
図２（ａ）および図３に示したように、長辺突条帯２３は、蓋２１の左右方向の一方の端部の近傍から他方の端部の近傍へと左右方向に延びており、蓋２１の表面に対して平行に延びる稜線をその頂部に有した中央部分２３ａと、この中央部分２３ａにおける稜線の両端から蓋２１の表面へと傾斜して延びる緩い傾斜面２３ｂ，２３ｂをそれぞれ有した両端部分とを有している。
なお、中央部分２３ａの全長はＬ１となっている。
【００２８】
中辺突条帯２４は、蓋２１の表面に対して平行に延びる稜線をその頂部に有する中央部分２４ａと、この中央部分２４ａにおける稜線の両端から蓋２１の表面へと傾斜して延びる緩い傾斜面２４ｂおよび急な傾斜面２４ｃをそれぞれ有した両端部分とを有している。
【００２９】
短辺突条帯２５は、蓋２１の表面に対して平行に延びる稜線をその頂部に有する中央部分２５ａと、この中央部分２５ａにおける稜線の両端から蓋２１の表面へと傾斜して延びる急な傾斜面２５ｃ，２５ｃをそれぞれ有した両端部分とを有している。
そして、短辺突条帯２５の全長Ｌ２は、長辺突条帯２３の中央部分２３ａの全長Ｌ１よりも短く形成されている。
【００３０】
なお、各突条帯２３，２４，２５の各中央部分２３ａ，２３ｂ，２３ｃの稜線の長さは、各突条帯２３，２４，２５の全長に対し、その長さの比率が０．５〜０．９となっている。
【００３１】
長辺突条帯２３は、蓋２１の左右方向の一方の端部の近傍から他方の端部の近傍へと、折曲線２１ａに対して左右対称に延びている。
短辺条帯２５もまた、折曲線２１ａに対して左右対称に延びている。
中辺突条帯２４は、その一方の端部が長辺突条帯２３の一端と前後方向に位置を揃えて配設されるとともに、その他方の端部が短辺突条帯２５の一端と前後方向に位置を揃えて配設されている。
【００３２】
次に、本第１実施形態の分配包装体１００の作用効果について説明する。
【００３３】
上述したように、本第１実施形態の分配包装体１００は、折曲線２１ａを跨いで左右方向に互いに平行に延びる複数の中空の突条帯２３，２４，２５を、蓋２１の表面に折曲線２１ａに沿って前後方向に並ぶように突設したものである。
これにより、蓋２１の左右の両端部２１ｂ，２１ｃを２本の指で押圧して上方に湾曲させると、図６に示したように、蓋２１は折曲線２１ａのハーフカットを起点として裏面側にＶ字形に折れ曲がり、蓋２１が割損すると同時に複数の突条帯２３，２４，２５がそれぞれ２つに割損し、それらの中空部分が蓋２１の表面側に露出し、蓋２１に蛇腹状の吐出開口２６を形成する。
したがって、大きな粒径の固形物を押し出すときには蛇腹状の吐出開口２６が湾曲して大きく開口するので、大きな粒径の固形物が含まれている収納物をも容易に押し出すことができる。
【００３４】
また、本第１実施形態の分配包装体１００は蓋２１の左右方向の一方の端部の近傍から他方の端部の近傍へと延びる前後一対の長辺突条帯２３，２３を有しているので、蓋２１の全体的な曲げ剛性が高くなっている。
これにより、輸送時あるいは取扱時に蓋２１が押圧されても蓋２１が大きく変形することがなく、ハーフカットの部分から折曲線２１ａに亀裂が生じて収納物の密封が損なわれることがない。
【００３５】
また、前後一対の中辺突条帯２４，２４からなる中辺突条帯２４の組を２組有するとともに、互いに隣接する中辺突条帯２４の組同士の間に短辺突条帯２５が配設されている。
また、中辺突条帯２４の各組と長辺突条帯２３との間にも短辺突条帯２５がそれぞれ配設されている。
これにより、２本の指によって蓋２１の左右の両端部２１ｂ，２１ｃに負荷される折曲力を折曲線２１ａに集中させ、蓋２１を容易に折り曲げることができる。
【００３６】
また、短辺突条帯２５は、その全長Ｌ２が長辺突条帯２３の中央部分２３ａの長さＬ１よりも短く形成されている。
これにより、蓋２１のうち全長の短い短辺突条帯２５が設けられている部分の曲げ剛性は、その他の部分よりも低くなる。
したがって、蓋２１を折り曲げたときに現れる蛇腹状の吐出開口２６を容易に湾曲させて、収納物に含まれている大きな粒径の固形物を容易に押し出すことができる。
【００３７】
また、長辺突条帯２３、中辺突条帯２４および短辺突条帯２５は、折曲線２１ａの中点Ｃに対し点対称となるように配設されている。
これにより、これらの突条帯２３，２４，２５を折曲線２１ａに対し左右対称にあるいは前後対称に配設した場合に比較して、輸送時あるいは取扱時に蓋２１が押圧されたときにこれらの突条帯２３，２４，２５に生じる変形の度合いを低減することができる。
したがって蓋が大きく変形することはなく、ハーフカットの部分から折曲線２１ａに亀裂が生じて収納物の密封が損なわれることがない。
【００３８】
また、中辺突条帯２４は、その一方の端部が長辺突条帯２３の一端と前後方向に位置を揃えて配設されるとともに、その他方の端部が短辺突条帯２５の一端と前後方向に位置を揃えて配設されている。
これにより、２本の指によって蓋２１の左右の両端部２１ｂ，２１ｃに負荷される折曲力を折曲線２１ａに集中させ、蓋２１を容易に折り曲げることができる。
【００３９】
また、突条帯２３，２４，２５は、その頂部に稜線を有する中央部分２３ａ，２４ａ，２５ａと、これらの中央部分２３ａ，２４ａ，２５ａにおける稜線の端点から蓋２１の表面へと傾斜して延びる傾斜面をそれぞれ有した両端部分２３ｂ，２４ｂ，２４ｃ、２５ｃを有している。
特に、長辺突条帯２３の両端部分２３ｂ，２３ｂにそれぞれ設けられている傾斜面、および中辺突条帯２４のうち長辺突条帯２３の端部２３ｂに位置を揃えて配設された端部２４ｂに設けられている傾斜面は、短辺突条帯２５の両端部分２５ｃ，２５ｃにそれぞれ設けられている傾斜面よりも、その傾斜が緩やかに形成されている。
これにより、２本の指によって蓋２１の左右の両端部２１ｂ，２１ｃに折曲力を負荷したときに、この折曲力が突条帯２３，２４の端部に集中し、突条帯２３，２４の端部において蓋２１が折れ曲がることを防止できる。
【００４０】
加えて、蓋２１のうち互いに隣接する突条帯２３，２４，２５の間の部分２１ｄは、蓋２１の周縁部と同じ高さで平坦に延びるように形成されている。
これにより、輸送時あるいは取扱時に蓋２１が押圧されたときに、蓋２１が大きく変形することはなく、ハーフカットの部分から折曲線２１ａに亀裂が生じて収納物の密封が損なわれることがない。
【００４１】
すなわち、本第１実施形態の分配包装体１００によれば、大きな粒径の固形物が含まれている収納物をも容易に押し出すことができるばかりでなく、輸送時あるいは取扱時にその蓋２１が押圧されても収納物の密封が損なわれることがない。
【００４２】
次に、図７〜図１０を参照し、第１実施形態の分配包装体１００の変形例について説明する。
【００４３】
第１変形例
図７および図８に示した第１変形例の分配包装体１１０は、第１実施形態の分配包装体１００に対し、中辺突条帯２４の組の数を１つとするとともに、短辺突条帯２５の数を１つ減少させたものであるが、それ以外の構成は同一となっている。
【００４４】
しかしながら、この第１変形例の分配包装体１１０においても、前後一対の長辺突条帯２３，２３の間に前後一対の中辺突条帯２４，２４が配設されるとともに、各長辺突条帯２３，２３と各中辺突条帯２４，２４の間に各短辺突条帯２５，２５がそれぞれ配設されている。
そして、長辺突条帯２３、中辺突条帯２４および短辺突条帯２５は、折曲線２１ａの中点Ｃに対し点対称となるように配設されている。
【００４５】
これにより、この第１変形例の分配包装体１１０もまた、大きな粒径の固形物が含まれている収納物を容易に押し出すことができるばかりでなく、輸送時あるいは取扱時にその蓋２１が押圧されて変形しても収納物の密封が損なわれることがない。
【００４６】
第２変形例
図９および図１０に示した第２変形例の分配包装体１２０は、第１実施形態の分配包装体１００に対し、中辺突条帯２４の組の数を３つにするとともに、短辺突条帯２５の数を１つ増加させたものであるが、それ以外の構成は同一となっている。
【００４７】
しかしながら、この第２変形例の分配包装体１２０においても、前後一対の長辺突条帯２３，２３の間に前後一対の中辺突条帯２４，２４が配設されるとともに、各長辺突条帯２３，２３と各中辺突条帯２４，２４の間に各短辺突条帯２５，２５がそれぞれ配設されている。
そして、長辺突条帯２３、中辺突条帯２４および短辺突条帯２５は、折曲線２１ａの中点Ｃに対し点対称となるように配設されている。
【００４８】
これにより、この第２変形例の分配包装体１２０もまた、大きな粒径の固形物が含まれている収納物を容易に押し出すことができるばかりでなく、輸送時あるいは取扱時にその蓋２１が押圧されて変形しても収納物の密封が損なわれることがない。
【００４９】
第２実施形態
次に図１１および図１２を参照し、第２実施形態の分配包装体について説明する。
【００５０】
図１１および図１２に示した分配包装体１３０は、第１実施形態の分配包装体１００の蓋に、その周縁部に対して平行に持ち上げられた段部を追加したものであるが、それ以外の構成は同一となっている。
具体的に説明すると、蓋３１は、その周縁部３１ａに対して高さ寸法Ｈだけ上方に平行に持ち上げられた段部３２を有している。
そして、長辺突条帯２３、中辺突条帯２４および短辺突条帯２５は、この段部３２の上に配設されている。
なお、蓋３１の表面から各突条帯２３，２４，２５の頂部までの高さ寸法Ｈ１と、段部３２の表面から各突条帯２３，２４，２５の頂部までの高さ寸法Ｈ２との比率は、Ｈ１：Ｈ２＝１．２〜３、好ましくはＨ１：Ｈ２＝１．５〜２とすることが好ましい。
【００５１】
これにより、蓋３１を折り曲げたときに生じる吐出開口３３は、第１実施形態の分配包装体１００における開口２６に対し、図１２に示したように段部３２が周縁部３１ａから高さ寸法Ｌだけ平行に持ち上げられている分だけ大きいものとなる。
したがって、この第２実施形態の分配包装体１３０は、さらに大きな粒径の固形物が含まれている収納物をも容易に押し出すことができることになる。
【００５２】
以上、本発明に係る分配包装体の各実施形態および変形例について詳しく説明したが、本発明は上述した実施形態によって限定されるものではなく、種々の変更が可能であることは言うまでもない。
例えば、上述した第１実施形態においては、長辺突条帯２３、中辺突条帯２４および短辺突条帯２５の断面形状を中空の三角形としたが、それ以外の断面形状、例えば中空の円形や楕円形とすることもできる。
【図面の簡単な説明】
【００５３】
【図１】第１実施形態の分配包装体を示す全体斜視図。
【図２】図１に示した分配包装体の平面図（ａ）および正面図（ｂ）。
【図３】図１に示した分配包装体における突条帯の配置を示す平面図。
【図４】図１に示した分配包装体における突条帯の細部を拡大して示す斜視図。
【図５】図１に示した分配包装体における折曲線に沿った断面図。
【図６】図１に示した分配包装体の蓋を折り曲げた状態で示す斜視図。
【図７】第１変形例の分配包装体を示す全体斜視図。
【図８】図７に示した分配包装体の平面図（ａ）および正面図（ｂ）。
【図９】第２変形例の分配包装体を示す全体斜視図。
【図１０】図９に示した分配包装体の平面図（ａ）および正面図（ｂ）。
【図１１】第２実施形態の分配包装体を示す平面図（ａ）および正面図（ｂ）。
【図１２】図１に示した分配包装体の開口を模式的に示す図。
【図１３】従来の分配包装体を示す平面図（ａ）および正面図（ｂ）。
【図１４】図１３に示した分配包装体のの蓋を折り曲げた状態で示す斜視図。
【図１５】粒径の大きい固形物を含む調味料のための分配包装体を示す斜視図。
【図１６】図１５に示した分配包装体のの蓋を折り曲げた状態で示す斜視図。
【符号の説明】
【００５４】
１  従来の分配包装体
２  蓋
３  収納部分
４  折曲線
５  突起
６  突条帯
１０  粒径の大きい固形物を含む調味料のための分配包装体
１１  蓋
１２  収納部分
１３  折曲線
１４  突条帯
１５  吐出開口
２１  蓋
２１ａ  折曲線
２２  収納部
２２ａ，２２ｂ  ポケット
２１ｃ  連通部
２３  長辺突条帯
２４  中辺突条帯
２５  短辺突条帯
２６  吐出開口
３１  蓋
３１ａ  周縁部
３２  段部
３３  吐出開口
１００  第１実施形態の分配包装体
１１０  第１変形例の分配包装体
１２０  第２変形例の分配包装体
１３０  第２実施形態の分配包装体
【図１】
2010126216.tif 000003
【図２】
2010126216.tif 000004
【図３】
2010126216.tif 000005
【図４】
2010126216.tif 000006
【図５】
2010126216.tif 000007
【図６】
2010126216.tif 000008
【図７】
2010126216.tif 000009
【図８】
2010126216.tif 000010
【図９】
2010126216.tif 000011
【図１０】
2010126216.tif 000012
【図１１】
2010126216.tif 000013
【図１２】
2010126216.tif 000014
【図１３】
2010126216.tif 000015
【図１４】
2010126216.tif 000016
【図１５】
2010126216.tif 000017
【図１６】
2010126216.tif 000018